(57)【要約】  【課題】  従来のデジタル通信システムの構築の場合、端末装置設定ファイルをフロッピーディスクの書き込み／読み込みと言う人手を介するという煩わしさがあった。  【解決手段】  中央処理装置と、上記中央処理装置と伝送路を介して接続される基地局と、上記基地局と通信可能に構成された複数の端末装置からなり、上記中央処理装置および上記基地局は、それぞれ記憶部を有し、上記中央処理装置の記憶部は、上記端末装置の動作のための管理情報を記憶すると共に上記端末装置および上記基地局に少なくとも上記管理情報の登録有無情報を記録する管理テーブルを具え、上記中央処理装置は、上記中央処理装置の上記記憶部から上記端末装置の管理情報を読出し、上記端末装置および上記基地局に上記管理情報を登録すると共に上記登録に応じて上記管理テーブルの内容を書き換えるように構成される。【選択図】  図１
2006128967.tif 000002
【特許請求の範囲】
【請求項１】
中央処理装置と、上記中央処理装置と伝送路を介して接続される基地局と、上記基地局と通信可能に構成された複数の端末装置からなり、上記中央処理装置および上記基地局は、それぞれ記憶部を有し、上記中央処理装置の記憶部は、上記端末装置の動作のための管理情報を記憶すると共に上記端末装置および上記基地局に少なくとも上記管理情報の登録有無情報を記録する管理テーブルを具え、上記中央処理装置は、上記中央処理装置の上記記憶部から上記端末装置の管理情報を読出し、上記端末装置および上記基地局に上記管理情報を登録すると共に上記登録に応じて上記管理テーブルの内容を書き換えることを特徴とするデジタル通信システム。
【請求項２】
請求項１記載のデジタル通信システムにおいて、上記中央処理装置は、上記中央処理装置の上記記憶部から上記端末装置の管理情報を読出し、上記端末装置および上記基地局に上記管理情報を登録する場合、上記端末装置に上記管理情報を登録する毎に上記基地局の上記記憶部に上記端末装置の上記管理情報を送信し、上記管理情報の送信に応じて上記管理テーブルの内容を適宜書き換えることを特徴とするデジタル通信システム。
【請求項３】
請求項１記載のデジタル通信システムにおいて、上記中央処理装置は、更に、管理ファイルを有し、上記中央処理装置は、上記中央処理装置の上記記憶部から上記端末装置の管理情報を読出し、上記端末装置および上記基地局に上記管理情報を登録する場合、上記端末装置に上記管理情報を登録する毎に上記端末装置の上記管理情報を上記管理ファイルに登録し、複数の上記端末装置に上記管理情報を登録した時点で、上記管理ファイルに登録された上記端末装置の上記管理情報を一括して上記基地局の上記記憶部に送信することを特徴とするデジタル通信システム。
【発明の詳細な説明】
【技術分野】
【０００１】
本発明は、デジタル通信システムに関し、特に、空港、公共機関、民間機関において使用されるデジタル通信システムにおいて、システムの構築や、システムの保守・点検あるいはシステムの拡張等を容易に行えるデジタル通信システムに関するものである。
【背景技術】
【０００２】
通信システムの発達により、空港、公共機関、民間機関等において携帯無線機や、移動用無線機が各種用途に用いられるようになっている。また、最近は、通信システムもデジタル化され、デジタル通信システムが広く用いられるようになっており、しかも１つの通信システムの規模も数百台から数千台の端末装置を保有する大規模なシステムも出現している。
【０００３】
このような大規模なデジタル通信システムの新規な構築、あるいは、システムの保守・点検、システムの拡張は、システムが大規模になるほどそのための時間、費用が膨大となる等の問題があり、短時間に簡単に行えるシステムの構築、保守・点検、拡張の容易なデジタル通信システムの実現が望まれている。
【０００４】
従来の大規模なデジタル通信システムの構築、保守・点検、拡張について図６を用いて説明する。図６は、従来のデジタル通信システムの構築、保守・点検、拡張を行なう場合を説明するための図である。図６において、６０１は、中央処理装置である。この中央処理装置６０１は、例えば、デジタル通信システム全体を統括するセンタ装置である。６０２は、基地局を表している。ここでは１台の基地局６０２が示されているが、規模が大きくなると、複数台の基地局で構成される。６０５−１、・・・６０５−ｍ（ｎ台の端末装置の内、ｍ台が基地局６０２で運用されることを示している。ここで、ｎ＞ｍの関係がある。）は、端末装置を表している。なお、端末装置を総称する場合は、端末装置６０５と総称する。この端末装置６０５は、無線端末装置６０５−１、６０５−ｍや有線端末装置６０５−５等の複数の、且つ、タイプの異なる端末装置で構成されているのが普通である。そして、基地局６０２は、回線制御装置６０３を介して基地局無線機６０４と接続され、無線端末装置６０５−１や６０５−ｍと無線で通信できるように構成されている。また、基地局６０２は、回線制御装置６０３を介してＬＡＮ（Local Area Network）や公衆回線等の伝送路６０６を介して有線端末装置６０５−５とも通信できるように構成されている。
【０００５】
図６において、新しいデジタル通信システムを構築する場合について説明する。まず、中央処理装置６０１には、デジタル通信システムに配置される全ての端末装置６０５の管理情報が格納されている。ここで、管理情報とは、多数存在する端末装置のＩＤ番号、発着信の規制情報あるいは使用チャネル等の情報で、各端末装置がデジタル通信システムとして動作するための動作設定情報である。なお、図６に示す端末装置６０５−１Ａ、・・・６０５−ｎＡは、新しいデジタル通信システムを構築するための管理情報が未登録の端末装置を示している。換言すれば、端末装置６０５−１Ａ、・・・６０５−ｎＡは、まだ、端末装置の管理情報が登録（インストール）されていない状態の端末装置を表している。従って、管理情報が各端末装置に登録されると、端末装置６０５−１Ａは、端末装置６０５−１になることを意味している。同様に端末装置６０５−ｍＡは、管理情報が登録されると、端末装置６０５−ｍに、端末装置６０５−ｎＡは、端末装置６０５−ｎとなる。
【０００６】
さて、新しいデジタル通信システムを構築する場合、各端末装置６０５−１Ａ、・・・６０５−ｎＡに端末装置の管理情報を中央処理装置６０１から各端末装置毎に書込む必要がある。例えば、図６では、端末装置６０５−１Ａに中央処理装置６０１から管理情報を書込んでいる状態を示している。そしてこの端末装置６０５−１Ａに書込まれた管理情報は、中央処理装置６０１のローカルディスク（図示せず。）にも登録される。同様に他の端末装置６０５−ｍＡにも順次管理情報が登録されると共にローカルディスクに登録される。このようにしてデジタル通信システムを構成する基地局６０２が運用管理する全ての端末装置６０５―１Ａ、・・・６０５−ｍＡに順次管理情報が登録されると共にローカルディスクにも登録される。その後、ローカルディスクに登録された各管理情報は、フロッピーディスク（登録商標）６０７に書込まれる。従って、フロッピーディスク６０７には、基地局６０２が運用管理する全ての端末装置６０５―１Ａ、・・・６０５−ｍＡの管理情報が記録される。
【０００７】
次に、新しいデジタル通信システムを構築するために基地局６０２に各端末装置６０５の管理情報を移植する。即ち、基地局６０２で管理情報をフロッピーディスク６０７から読み込むと、新しく構築したデジタル通信システムは、基地局６０２と各端末装置６０５―１、・・・６０５−ｍとの間で通信が可能となる。
【０００８】
以上の手順を纏めると、
（１）中央処理装置６０１から端末装置６０５−１Ａに対して管理情報を送信する。
（２）端末装置６０５−１Ａに送信した管理情報を端末装置設定ファイルとして中央処理装置６０１のローカルディスクに保存する。
（３）登録する端末装置６０５を順次変更し、上記の操作を繰返す。
（４）中央処理装置６０１のローカルディスクに保存されている端末装置設定ファイルをフロッピーディスク６０７に書き込む。
（５）端末装置設定ファイルを書込まれたフロッピーディスク６０７を基地局６０２で読込む。
【０００９】
以上のような手順で新しいデジタル通信システムを構築することができるが、このような手順は、フロッピーディスクの書き込み／読み込みと言う人手を介するという煩わしさがあった。また、中央処理装置６０１と基地局６０２が地理的に離れている場合、フロッピーディスクの移動が必要になり、システムの構築上、時間的な制約にもなるという問題がある。
【００１０】
また、上記のようにして構築されたデジタル通信システムの保守・点検あるいはシステムの拡張の場合、端末装置６０５のどれかを変更した場合の管理情報の修正、また、端末装置６０５を増築した場合の増築した端末装置６０５の管理情報の追加等は、再度、中央処理装置６０１で管理情報の修正や追加を行い、フロッピーディスクにそれら修正や追加情報を読込み、その後、このフロッピーディスクを基地局６０２に持ち込み、読込むという手順が必要であり、構築されたデジタル通信システムの保守・点検あるいはシステムの拡張においても煩雑性は避けられなかった。
【００１１】
【非特許文献１】ＡＲＩＢ−ＳＴＤ−Ｔ８７（空港内デジタル移動通信システム）（社団法人電波産業会）
【発明の開示】
【発明が解決しようとする課題】
【００１２】
従来のデジタル通信システムの構築の場合、端末装置設定ファイルにフロッピーディスクの書き込み／読み込みと言う人手を介するという煩わしさがあった。また、上記のようにして構築されたデジタル通信システムの保守・点検あるいはシステムの拡張の場合にも、再度、中央処理装置でフロッピーディスクに修正、増築の読込み、基地局でその情報を読込むという手順が必要であり、煩雑性は避けられなかった。
【００１３】
本発明の目的は、人手を介することなく、容易に新しいデジタル通信システムの構築ができるデジタル通信システムを提供することである。
【００１４】
本発明の他の目的は、デジタル通信システムの保守・点検あるいはシステムの拡張が容易なデジタル通信システムを提供することである。
【００１５】
本発明の更に他の目的は、端末装置に自動で管理情報の登録を行うことができるデジタル通信システムを提供することである。
【課題を解決するための手段】
【００１６】
本発明のデジタル通信システムは、中央処理装置と、上記中央処理装置と伝送路を介して接続される基地局と、上記基地局と通信可能に構成された複数の端末装置からなり、上記中央処理装置および上記基地局は、それぞれ記憶部を有し、上記中央処理装置の記憶部は、上記端末装置の動作のための管理情報を記憶すると共に上記端末装置および上記基地局に少なくとも上記管理情報の登録有無情報を記録する管理テーブルを具え、上記中央処理装置は、上記中央処理装置の上記記憶部から上記端末装置の管理情報を読出し、上記端末装置および上記基地局に上記管理情報を登録すると共に上記登録に応じて上記管理テーブルの内容を書き換えるように構成される。
【００１７】
また、本発明のデジタル通信システムにおいて、上記中央処理装置は、上記中央処理装置の上記記憶部から上記端末装置の管理情報を読出し、上記端末装置および上記基地局に上記管理情報を登録する場合、上記端末装置に上記管理情報を登録する毎に上記基地局の上記記憶部に上記端末装置の上記管理情報を送信し、上記管理情報の送信に応じて上記管理テーブルの内容を適宜書き換えるように構成される。
【００１８】
また、本発明のデジタル通信システムにおいて、上記中央処理装置は、更に、管理ファイルを有し、上記中央処理装置は、上記中央処理装置の上記記憶部から上記端末装置の管理情報を読出し、上記端末装置および上記基地局に上記管理情報を登録する場合、上記端末装置に上記管理情報を登録する毎に上記端末装置の上記管理情報を上記管理ファイルに登録し、複数の上記端末装置に上記管理情報を登録した時点で、上記管理ファイルに登録された上記端末装置の上記管理情報を一括して上記基地局の上記記憶部に送信するように構成される。
【００１９】
また、本発明のデジタル通信システムにおいて、上記中央処理装置の記憶部が有する管理テーブルには、少なくとも上記端末装置が上記基地局に登録されているか、いないかの情報が記憶されるように構成される。
【発明の効果】
【００２０】
以上説明したように本発明は、人手を介することなく、容易に新しいデジタル通信システムの構築ができ、また、デジタル通信システムの保守・点検あるいはシステムの拡張が容易に行うことができる。また、ネットワーク接続することにより端末装置に自動で管理情報の登録を行うことができる。更に、ネットワーク接続されていない状態でも、端末装置に対して登録処理を行った場合、後にネットワーク接続すれば、一括で自動登録を実施することができる等極めて優れたデジタル通信システムを実現することができる。
【発明を実施するための最良の形態】
【００２１】
現在、実用化されているデジタル無線通信システムは、図４に示すようにデジタル基地局４０１とデジタル基地局４０１の通信エリア４０２（あるいは通信ゾーンとも言われる。）内にある複数の移動局Ｍ１、Ｍ２、・・・（なお、移動局を総称する場合は、移動局Ｍと呼ぶことにする。）との通信接続サービス、あるいは、移動局Ｍと通信エリア４０２の外に有る移動局ｍ１、ｍ２、・・・との通信接続サービスが行なわれるように構成されたシステムである。なお、図４では、移動局Ｍ１とｍ１のみ示してあるが、実際は、数百台から数千台あるいはそれ以上の移動局から構成されている。
【００２２】
図４においてデジタル基地局４０１には、例えば、上りと下りの無線周波数がペアで割り当てられており、デジタル基地局４０１から送信される送信波を下り波Ｆ1、移動局Ｍ１から基地局４０１へ送信される送信波を上り波f１と呼ぶことにする。これら上りと下りのペア波を用いて、デジタル基地局４０１と移動局Ｍ１間あるいは基地局４０１を経由した移動局Ｍ１と移動局ｍ１間の通信を行う。また通信エリア４０２内は、デジタル基地局４０１の運用エリアである。また、移動局Ｍ１と通信エリア４０２の外に有る移動局ｍ１との間の通信は、移動局間直接通信が行われる。このようなシステムは、ＭＣＡ（Multi Channel Access）方式と呼ばれ、１音声チャンネル当たり１搬送波を割り当てる方式である。また、ＭＣＡ方式、例えば、空港ＭＣＡシステムで使用される周波数は、４００ＭＨｚ帯の周波数が使用され、下り波Ｆ1は、例えば、４６０．２２５ＭＨｚ、上り波f１は、例えば、４２１．７２５ＭＨｚが使用されている。なお、空港ＭＣＡシステムは、ＡＲＩＢ−ＳＴＤ−Ｔ８７（空港内デジタル移動通信システム）（非特許文献１参照）で定められており、ここでは、詳細な説明は省略する。
【００２３】
さて、上記のような例えば、空港ＭＣＡシステムで使用されるデジタル通信システムについて次に説明する。図１は、本発明の一実施例を説明するための概略構成を示す図である。図１において、１０１は、デジタル通信システムの中央処理装置、１０２は、基地局、１０３は、中央処理装置１０１と基地局１０２を接続する伝送路であり、例えば、ＬＡＮ等で構成される。１０４および１０５は、それぞれ中央処理装置１０１および基地局１０２に設けられた記憶部であり、装置の内部に設けられる場合と外部に設けられる場合がある。なお、図６と同じものには、同じ符号が付されている。また、図１では、基地局１０２は、１台のみ示してあるが、デジタル通信システムの規模が大きくなると複数の基地局が配置され、中央処理装置１０１は、それらの基地局１０２の全てを統括するように構成される。
【００２４】
さて、図１において、デジタル通信システムを構築する場合について説明する。中央処理装置１０１は、デジタル通信システム全体を統括する統括センタの機能を有し、その記憶部１０４には、デジタル通信システムで使用される全ての機器、例えば、端末装置６０５の管理情報が表１に示されるような管理テーブルとして記憶されている。
【００２５】
【表１】
2006128967.tif 000003
表１において、端末装置ＩＤとは、各端末装置６０５のＩＤＮｏ．で、Ｎｏ．１、２、・・・ｍ、・・・ｎが登録されており、本発明で使用される空港ＭＣＡシステムでは、１６，０００台の端末装置６０５全てが登録されている。発着信の規制情報とは、各端末装置６０５に与えられるグループ通信、個別通信、緊急通信の許可、不許可を割当てることを意味している。使用周波数とは、ＡＲＩＢ−ＳＴＤ−Ｔ８７（空港内デジタル移動通信システム）（非特許文献１参照）で定められている。即ち、基地局毎に主波と代替３波の４つの周波数（キャリア）が与えられ、１波当り４チャネル（４スロット）、合計１６チャネルが割当てられている。従って、運用時にどのチャネルを使用するかを各端末装置に登録される。
【００２６】
短縮ダイヤルは、所属グループ間での通話の簡略化あるいは管理者用に適宜システムで用いられる番号が設定される。その他ホットマイク機能のＯＮ／ＯＦＦ、緊急機能ＯＮ／ＯＦＦ等の設定もできるようになされている。ここで、ホットマイク機能とは、非常自体の時に端末装置を集音装置（マイク機能）として働かせる機能をいい、緊急機能とは、例えば、空港での事件（ハイジャック等）に対応できる最重要通信機能である。
【００２７】
以上説明したように中央処理装置１０１の記憶部１０４には、表１に示す端末装置６０５の管理情報が全て記憶されている。そして、例えば、基地局１０２が運用管理する端末装置６０５−１Ａ、６０５−２Ａ、・・・・６０５−ｍＡのそれぞれに対応する管理情報が登録される。例えば、図１では、中央処理装置１０１から端末装置６０５−１Ａに端末装置６０５−１Ａの管理情報が送信され、端末装置の記憶部（図示せず。）に登録される。この管理情報を例えば、表２のテーブルに示す。
【００２８】
【表２】
2006128967.tif 000004
表２は、端末装置６０５−１（端末装置６０５−１Ａと同じ端末装置）、即ち、端末装置ＩＤＮｏ．１に登録された管理情報の内容を示している。表２において、ＩＤＮｏ．１の端末装置６０５−１は、発着信の規制情報は、グループ通信：許可、個別通信：不許可、緊急通信：許可が登録され、その機能を有する端末装置として動作する。所属グループは、出発カウンタグループでの使用となり、使用周波数は、チャネル３、短縮ダイヤルは、５１５番、ホットマイク機能ＯＮという条件で運用されることが登録される。また、別の端末装置、例えば、端末装置６０５−ｍには、異なる動作条件の管理情報が登録され、登録された動作条件で動作する。このように各端末装置６０５の全ての端末装置に表２に示すような管理情報が順次登録される。この実施例では、１６，０００台の端末装置に登録される。なお、表２は、一例を示したもので、各端末装置毎に登録内容が同じものもあれば異なるものもある。
【００２９】
次に、端末装置６０５に書込まれた表２に示す管理情報と同じ管理情報が中央処理装置１０１から伝送路１０３を介して基地局１０２の記憶部１０５に送信される。即ち、例えば、端末装置６０５−１Ａに書込まれた表２に示す管理情報は、中央処理装置１０１から基地局１０２に送信され、基地局１０２の記憶部１０５に記憶される。従って、端末装置６０５−１が基地局１０２の運用範囲に配置されると、基地局１０２は、回線制御装置６０３、基地局無線機６０４を介して端末装置６０５−１と通信ができるようになる。このように中央処理装置１０１は、各端末装置６０５に管理情報を登録する度に、それと同じ管理情報を基地局１０２の記憶部１０５に送信する。従って、例えば、基地局１０２の運用範囲に設置される端末装置６０５−１、・・・６０５−ｍのｍ台の端末装置全てにこの管理情報を登録し、かつ、これと同じｍ台の端末装置の管理情報を基地局１０２の記憶部１０５に送信することで、基地局１０２は、デジタル通信システムとしての運用が開始できる。
【００３０】
而して、中央処理装置１０１は、上述のように各端末装置６０５および基地局１０２に管理情報を登録するが、この場合、この登録を管理するための機能が必要である。本発明ではそのための工夫がなされている。これについて次に説明する。図２は、中央処理装置１０１の管理機能を説明するための図であり、図２（Ａ）に示すテーブルは、中央処理装置１０１の記憶部１０４に記憶されている。図２（Ａ）において、グループ００１〜１６０は、例えば、１６，０００台の端末装置６０５を１６０のグループに分けていることを示している。なお、グループの分け方は、デジタル通信システムの構成に応じて最適な管理ができるように適宜グループ分けすることができることは言うまでもない。端末番号は、端末装置６０５の例えば、ＩＤ番号に対応する。登録内容とは、例えば、クループ００１では、Ｎｏ．１の端末装置〜Ｎｏ．１００の端末装置の１００台について１１１・・・１３１（端末装置１００台分の登録内容表示を１桁の数字で示す。）のように表示している。即ち、基地局１０２に登録済の端末装置の場合「０」を表示する。基地局１０２に未登録の無線端末装置の場合「１」を、基地局１０２に削除情報未登録の無線端末装置の場合「２」を、基地局１０２に未登録の有線端末装置の場合「３」を、また、基地局１０２に削除情報未登録の有線端末装置の場合「４」を表示するように定めている。
【００３１】
そして、図２（Ａ）では、中央処理装置１０１が端末装置６０５および基地局１０２に何等の管理情報も登録をしていない状態を示している。即ち、登録内容「１」は、基地局１０２に未登録の無線端末装置を、また、登録内容「３」は、基地局１０２に未登録の有線端末装置を示しており、全て（１６，０００台）の端末装置が未登録であることを示している。
【００３２】
この状態でそれぞれの端末装置６０５に管理情報を登録すると共に基地局１０２に管理情報を登録する手順について図３を用いて説明する。まず、手順３０１では、中央処理装置１０１の操作部（図示せず。）を操作して管理情報を登録する端末装置、例えば、端末装置Ｎｏ．１を選択し、端末装置ＩＤを入力する。
【００３３】
手順３０２では、選択された端末装置Ｎｏ．１の管理情報を記憶部１０４に記憶されている表２に示すテーブルを参照し、端末装置６０５−１Ａに送信する。
【００３４】
手順３０３では、端末装置６０５−１Ａに送信した管理情報を基地局１０２の記憶装置１０５に送信し、記憶させる。
【００３５】
手順３０４では、中央処理装置１０１の記憶部１０４に記憶されている図２（Ａ）に示す管理テーブルの登録内容を書き換える。即ち、基地局１０２の記憶装置１０５に送信した端末装置Ｎｏ．１の登録内容「１」（基地局１０２に未登録の無線端末装置）を図２（Ｂ）に示す登録内容「０」（基地局１０２に登録済の端末装置）のように書き換える。
【００３６】
なお、図３では、それぞれの端末装置６０５に管理情報を登録すると共に基地局１０２に管理情報を登録する手順についてその一実施例を説明したが、このような登録方法は、種々のものが考えられる。例えば、（１）中央処理装置１０１と端末装置６０５−１を接続する。（２）端末装置６０５−１に表２に示すような管理情報を登録する。（３）端末装置６０５−１に管理情報の登録が成功すると、表２に示す管理ファイルを中央処理装置１０１の記憶部１０４のローカルディスクに登録する。（４）上記管理情報を中央処理装置１０１のローカルディスクから読出し、伝送路１０３を介して基地局１０２の記憶部１０５に登録する。（５）上記登録が完了すると、中央処理装置１０１は、図２（Ｂ）に示す管理テーブルの登録内容を書き換える。以上の操作を端末分繰返す。
【００３７】
上記詳述したような手順を各端末装置６０５−１、・・・６０５−ｎについて順次行うと、図２（Ｂ）に示すような管理テーブルが作成されるので、操作者は、この管理テーブルを中央処理装置１０１の表示部に表示させることによりデジタル通信システムの各端末装置６０５の登録状況が容易に把握できる。また、中央処理装置１０１の操作部を操作して必要な管理情報を基地局１０２の記憶装置１０５に伝送路１０３を介して送信することで、容易に登録することが可能である。従って、従来のようにフロッピーディスクによる面倒な登録手続をする必要がない。
【００３８】
図５は、本発明の他の一実施例を示す図である。上記図１の実施例では、中央処理装置１０１から端末装置６０５の管理情報を端末装置１台づつに登録し、その都度、その管理情報を伝送路１０３を介して基地局１０２に送信する場合について説明したが、このようにすると端末装置の台数が多い場合、例えば、本実施例のように１６，０００台もの端末装置でデジタル通信システムが構成されている場合は、伝送路１０３を長時間専有することになり、実用的でない。従って、図５に示す実施例では、例えば、端末装置６０５のそれぞれに管理情報を登録すると共にこれら管理情報を順次管理ファイルに登録し、複数台登録された時点で、管理ファイルを基地局１０２に転送する方法である。以下これについて説明する。なお、各部の符号は図１の各部の符号に対応する。
【００３９】
図５において、５０１は、中央処理装置１０１のローカルディスク（管理ファイル）である。そして、各端末装置６０５への管理情報の登録は、図１の場合と同様に端末装置６０５−１Ａをまず選択し、記憶部１０４に記憶されている表２に示す管理情報テーブルを参照して管理情報を端末装置６０５−１Ａに登録する。その後、この管理情報を中央処理装置１０１のローカルディスク５０１へ登録する。更に、端末装置６０５−１（端末装置６０５−１Ａと同じ）の管理情報がローカルディスク５０１に登録されると、中央処理装置１０１は、図２（Ａ）に示すテーブルの登録内容「１」を書き換え、図２（Ｂ）に示すように「０」を登録する。これを順次複数の端末装置６０５について実行し、終了した時点で、中央処理装置１０１は、ローカルディスク５０１から登録した全ての管理情報ファイルを読出し、伝送路１０３（図１に示す。）を介して基地局１０２の記憶部１０５に送信することによって一度に管理情報ファイルを記憶部１０５に蓄積できるので、伝送路１０３を長時間専有することがなくなり極めて実用的である。なお、送信する管理情報は、全ての端末装置の管理情報を一括して送信することもできるし、また、基地局毎に、例えば、ｍ台分一括して送信することもできる。また、管理ファイル５０１は、記憶部１０４と共通にすることもできる。また、基地局１０２への管理情報の登録時には、基地局１０２に各端末装置６０５は、接続されている必要はない。
【００４０】
更に、このようなシステム構成とすることにより保守・点検、拡張の容易なデジタル通信システムが実現できる。以下これについて説明する。中央処理装置１０１の記憶部１０４には、図２（Ｂ）に示されるように全ての端末装置６０５の登録内容の管理テーブルが具えられている。従って、この登録内容の管理ファイルを操作者が表示部で見ることにより各端末装置の登録状況を容易に把握することができる。例えば、端末装置ＩＤＮｏ．７の登録内容には、「２」が表示されており、これは基地局１０２に削除情報未登録の無線端末装置であり、この無線端末装置に替えて新しい無線端末装置を設置した場合は、「０」に書き換えることで、無線端末装置の交換が実現できるので、保守・点検が容易に行えることがわかる。また、新規に端末装置を増設する場合には、図２（Ｂ）に新しく増設する端末装置のグループや端末番号を追加することで簡単に創設が可能となる。更に、一部の端末装置の管理情報が不具合であった場合にも、不具合の端末装置の管理情報を送信するだけで、容易に修正が可能となる。なお、図２に示す管理テーブルの登録内容を０〜４の５種類に設定しているが、これに限られるものではなく、デジタル通信システムの構成、保守・点検、増設の場合の各種要因に従って適宜設定して管理することは容易に実施できるものである。また、中央処理装置１０１は、１台で構成したが、ネットワーク接続された、例えば共通サーバ等を置くことにより複数の処理装置構成も可能である。
【００４１】
以上、本発明について詳細に説明したが、本発明は、ここに記載されたデジタル通信システムの実施例に限定されるものではなく、上記以外のデジタル通信システムに広く適応することが出来ることは、言うまでも無い。
【図面の簡単な説明】
【００４２】
【図１】本発明の一実施例を説明するための図である。
【図２】本発明の管理テーブルを説明するための図である。
【図３】本発明の動作を説明するための動作手順を示す図である。
【図４】本発明が適応されるデジタル通信システムを説明するための図である。
【図５】本発明の他の一実施例を説明するための図である。
【図６】従来のデジタル通信システムの一例を示す図である。
【符号の説明】
【００４３】
１０１、６０１：中央処理装置、１０２、４０１、６０２：基地局、１０３：伝送路、１０４、１０５：記憶部、４０２：通信エリア、５０１：管理ファイル、６０３：回線制御装置、６０４：基地局無線機、６０５：端末装置、６０７：フロッピーディスク。
【図１】
2006128967.tif 000005
【図２】
2006128967.tif 000006
【図３】
2006128967.tif 000007
【図４】
2006128967.tif 000008
【図５】
2006128967.tif 000009
【図６】
2006128967.tif 000010